(57)【要約】      （修正有）【課題】ガスレンジの天板を保護するためのガスレンジ用保護シートの取り付け方法であり、天板上に起伏がある場合でも、この天板の開口を含む天板表面に密着させながら取り付けることができる。【解決手段】ガスレンジ２の天板３に、バーナー４を露出させる開口部７の周縁に沿う孔を有する難燃性で熱収縮性を有する保護シート１を載置し、この保護シート１を加熱することにより熱収縮させて前記開口部７を有する天板３にその起伏部に沿って全体を密着させて取り付ける。【選択図】図３
2015175529.tif 000002
【特許請求の範囲】
【請求項１】
ガスレンジの天板に、バーナーを露出させる開口部の周縁に沿う孔を有する難燃性で熱収縮性を有する保護シートを載置し、この保護シートを加熱することにより熱収縮させて前記開口部を有する天板にその起伏部に沿って全体を密着させて取り付けることを特徴とするガスレンジ用保護シートの取り付け方法。
【請求項２】
バーナーを点火することにより前記保護シートを熱収縮させることを特徴とする請求項１記載のガスレンジ用保護シートの取り付け方法。
【請求項３】
前記保護シートに鉄を含有させて磁化させておくことを特徴とする請求項１又は２記載のガスレンジ用保護シートの取り付け方法。
【請求項４】
難燃性で熱収縮性樹脂により形成され、ガスレンジの天板のバーナー露出用開口部の周縁に沿う孔が設けられていることを特徴とするガスレンジ用保護シート。
【請求項５】
前記樹脂に鉄が含有されて磁化されていることを特徴とする請求項４記載のガスレンジ用保護シート。
【請求項６】
前記樹脂の少なくとも表面にアルミニウム製箔が貼付されていることを特徴とする請求項４又は５記載のガスレンジ用保護シート。
【発明の詳細な説明】
【技術分野】
【０００１】
本発明は、ガスレンジの天板の上に設けられるガスレンジ用保護シートの取付け方法及びガスレンジ用保護シートに関する。
【背景技術】
【０００２】
従来より、ガスレンジの天板への煮こぼれや油汚れなどへの対応策として、五徳との間の天板の上に設けられるガスレンジ用保護シートが知られている。
この種のガスレンジ用保護シートとしては、全体がアルミ箔により形成されたものが一般的に多く用いられ、この保護シートは天板上に敷設されるようにガスレンジに取り付けられる。
さらには、例えば、特許文献１のようなガスレンジ用シートが提案されている。このガスレンジ用シートは、第１の層として、天板に定着できかつ剥離可能にするための粘着層または静電フィルム層が設けられ、この第１の層に積層される第２の層として、熱伝導性の高い銀箔等の箔による層が設けられ、この構造によって天板の高温化が抑制されるようになっている。
【先行技術文献】
【特許文献】
【０００３】
【特許文献１】特開２０１３−２０００９９号公報
【発明の概要】
【発明が解決しようとする課題】
【０００４】
しかしながら、全体がアルミ箔で設けられたガスレンジ用保護シートや特許文献１の構造のガスレンジ用保護シートの場合、天板上に起伏がある場合にこの起伏に沿って天板表面に密着させながら敷設することが難しくなり、取り付け時に保護シート表面に凸凹が生じやすいという問題がある。特に、バーナーを露出させる天板の開口では、この開口周縁の起伏に沿って保護シートを密着させることが困難になり、この開口付近で天板と保護シートとの間に隙間が生じた場合には煮こぼれや油などが隙間から入り込むおそれがあった。
【０００５】
これを防ぐため、予めこれらガスレンジ用保護シートは、開口に沿った形状に設けられていたり、開口に沿って変形可能なスリットが形成されていたり、或は開口付近に沿って変形された状態で取り付けられることがあるが、これらの場合にも依然として開口付近の起伏に沿って密着させることは難しく、さらには、しわがよったりしてデザイン性が悪くなったり、保護シートの加工が複雑になるという問題も生じる。一方、保護シートの孔を天板の開口部付近を避けるように大径に形成することも考えられるが、この場合には天板の開口縁が保護シートで覆われないため、この開口部付近を保護できなくなる。
【０００６】
本発明は、このような事情に鑑みてなされたもので、ガスレンジの天板を保護するためのガスレンジ用保護シートの取り付け方法であり、天板上に起伏がある場合でも、この天板の開口を含む天板表面に密着させながら取り付けることができる取り付け方法及びガスレンジ用保護シートを提供することを目的とする。
【課題を解決するための手段】
【０００７】
本発明のガスレンジ用保護シートの取り付け方法は、ガスレンジの天板に、バーナーを露出させる開口部の周縁に沿う孔を有する難燃性で熱収縮性を有する保護シートを載置し、この保護シートを加熱することにより熱収縮させて前記開口部を有する天板にその起伏部に沿って全体を密着させて取り付けることを特徴とする。
【０００８】
天板の開口部に難燃性の熱収縮性を有する保護シートを載置し、この保護シートを加熱により熱収縮させて天板に密着させるようにしていることで、天板に設けられている起伏に沿って保護シートをその熱可塑性により密着させながら取り付けでき、天板の立体的な部分もカバーしながらこの天板との隙間を塞いだ状態にできる。これにより、バーナー露出用の開口部付近も保護して保護シートと天板との隙間への煮こぼれや油の浸入を防止できる。しかも、開口部付近に密着できることでしわがよったり特別な加工を必要とすることがないため、デザイン性を損なうこともない。
【０００９】
本発明のガスレンジ用保護シートの取り付け方法において、バーナーを点火することにより前記保護シートを熱収縮させるとよい。
保護シートをガスレンジの天板上に載置して、バーナーに点火することにより、その雰囲気熱を利用して保護シートを熱収縮させ、バーナーヘッド付近の開口部に起伏部がある場合でもこの起伏部に沿って密着可能となる。そのため、保護シートを天板に密着させるための作業を別途必要とすることなく、保護シートの熱収縮性を利用して起伏部をカバーできる。この場合、鍋等を載せてからバーナーに点火すると、鍋底からの輻射熱も利用して保護シートを加熱することができる。
【００１０】
上記の場合、前記保護シートに鉄を含有させて磁化させておくことが望ましい。
保護シートに鉄を含有させ、着磁加工をして磁化させておくことにより、鉄製のガスレンジ天板に装着する際の位置決めが容易になり、開口部付近だけでなく外縁部まで含めて取り付け後の天板との一体感が向上し、天板からの位置ずれも防止可能となる。
【００１１】
また、ガスレンジ用保護シートは、難燃性で熱収縮性樹脂により形成され、ガスレンジの天板のバーナー露出用開口部の周縁に沿う孔が設けられていることを特徴とする。
これによって、特殊な表面加工を施すことなく、難燃性の熱収縮性樹脂により任意の外形や孔を設けることができるため、各種のガスレンジの天板に応じて加熱により熱収縮させて天板の起伏に確実に密着させながら取り付けて天板表面を保護できる。
【００１２】
前記樹脂に鉄が含有されて磁化されていることが望ましい。
これにより、鉄製のガスレンジの天板に装着する際の位置決めが容易になり、取り付け後には天板との一体感が向上され、天板からの位置ずれも防止される。また、取り外しも容易になり、汚れが付着した場合には天板から剥がしてコンパクトにたたみながら廃棄可能となる。
【００１３】
さらには、前記樹脂の少なくとも表面にアルミニウム製箔が貼付されていることが望ましい。
この場合、表面の防汚性が向上して汚れが簡単に除去され、かつ、熱伝導性が高まることで放熱が促進され、天板の高温化が防止される。
【発明の効果】
【００１４】
本発明のガスレンジ用保護シートの取り付け方法によれば、ガスレンジの天板を保護し、天板上に起伏がある場合でも、この天板の起伏部を含む天板表面に密着させながら取り付けてこの天板を保護できる。
【図面の簡単な説明】
【００１５】
【図１】本発明の実施形態のガスレンジ用保護シートの平面図である。
【図２】図１に示すガスレンジ用保護シートをガスレンジに取り付ける状態を分解して示す断面図である。
【図３】図２の状態から取り付けた後の状態を示す断面図である。
【図４】本発明のガスレンジ用保護シートが適用されるガスレンジの例を示す斜視図である。
【図５】本発明の他の実施形態のガスレンジ用保護シートの平面図である。
【発明を実施するための形態】
【００１６】
以下、本発明のガスレンジ用保護シートの実施形態について、図面を参照して説明する。
このガスレンジ用保護シート１が取り付けられるガスレンジ２には天板３が設けられ、この天板３には加熱用のバーナー４が露出している。天板３には、バーナー４より大きい円形状の穴５が形成されており、この天板３の穴５の内周縁とバーナー４との間を塞ぐようにバーナーリング６が設けられている。このバーナーリング６は、その内側の開口部７からバーナー４を露出させた状態としている。また、バーナーリング６の外周縁から内周縁にかけて上り勾配となるように傾斜して設けられ、これにより、天板３の内周縁からバーナー４の外周縁に向けて上り勾配の起伏部が形成され、鍋からの煮こぼれ汁等がバーナーリング６上に垂れたとしても、バーナーリング６の内側の開口部７内に入り込みにくくなっている。
本発明の起伏部は、この実施形態では、このバーナーリング６によって形成される。
【００１７】
また、ガスレンジ２の天板３上には、バーナー４で加熱される鍋等を載置するために五徳２０が設けられている。
この五徳２０は、環状の五徳枠２１に複数の五徳爪２２が一体に形成された構成とされ、天板３上で、バーナーリング６の外側に五徳枠２１を配置して載置される。
そして、この五徳２０と天板３との間にガスレンジ用保護シート１が配置される。
【００１８】
このガスレンジ用保護シート（単に保護シートという）１は、その中央部に、バーナーリング６の開口部７に沿う円形状の孔３０が設けられ、この孔３０を介してバーナー４を露出できるようになっている。孔３０の形状はバーナーリング６の開口部７の周縁の形状に沿って適宜変更可能であり、例えば、円形状以外の角形状や楕円形状に設けられていてもよい。
【００１９】
また、この保護シート１は難燃性の熱収縮性樹脂により設けられ、外部からの加熱によって収縮変形するようになっており、さらに、この樹脂に鉄が含有されており、これにより全体が磁化されている。本実施形態では、例えば、樹脂が塩素化ポリエチレン、鉄がフェライト磁石として使用される保磁力の高いストロンチウムフェライトからそれぞれなっており、保護シート１の軟化点は８０〜１２０℃、引火点は３００℃以上、発火点は４００℃以上の特性に設けられる。よって、保護シート１は、３００℃に達するまではその燃焼が確実に防がれ、４００℃に達するまでのその自然発火が防止される。
また、この保護シート１の表面には、アルミニウム製箔が貼付されている。
【００２０】
この保護シート１をガスレンジ２に取り付ける場合には、先ず、ガスレンジ２から五徳２０を取り外した状態で、図２に示すようにバーナーリング６の開口部７と保護シート１の孔３０を合わせながら保護シート１を天板３に載置する。このとき、保護シート１が鉄の含有により磁化されていることで、この磁力により天板３からバーナーリング６に沿う起伏部の表面形状に沿って保護シート１が変形し、位置ずれが防止されながら天板３に磁着した状態となる。この場合、保護シート１のアルミニウム製箔が貼付された面を上面に向けておく。
【００２１】
続いて、五徳２０を載置するか或は取り外した状態で、保護シート１を加熱することにより熱収縮させる。この場合、バーナー４を点火することにより周囲からの輻射熱や雰囲気熱で保護シート１を熱収縮すればよく、この加熱により保護シート１が８０℃以上の温度に達したときに熱収縮が開始する。この場合、五徳２０を載置して鍋等を五徳２０に載せた状態でバーナー４に点火することにより、鍋底からの輻射熱も利用して保護シート１を熱収縮させることができる。また、バーナー４を使用することなく、保護シート１を外部から加熱して熱収縮させてもよい。
保護シート１が熱収縮すると、図３に示すように、天板３及びバーナーリング６の上面に密接した状態で固定される。この場合、熱収縮後には、孔３０の穴径はやや小さくなるが、この収縮により穴径がバーナーリング６の開口部７の穴径よりも小径になることはない。
【００２２】
保護シート１の貼り付け後には、ガスレンジ２を使用したときに煮こぼれ等によって煮汁が落ちても保護シート１によって天板３の汚れを防止し、保護シート１上に煮こぼれや油が付着して汚れた場合にはこの汚れを拭き取ることで容易に除去することができる。特に、表面にアルミニウム製箔が貼付されているので、拭き取り作業も容易で、表面がきれいなまま長期的に使用することができる。さらに、激しい汚れや消耗により交換が必要になった場合には、五徳２０を取り外し、保護シート１全体を天板３から剥がして交換することが可能である。
【００２３】
図１に示す保護シート１は、孔３０が１個の場合であったが、複数のバーナーを有するガスレンジ用保護シートとして、図４に示すように複数の孔３０を有する保護シート１０としてもよい。この場合、熱収縮により孔３０の内径だけでなく、その相対位置関係も変化するので、熱収縮後にガスレンジの各孔に位置決めできるように設計する必要がある。
【００２４】
なお、本発明は前記実施形態の構成のものに限定されるものではなく、細部構成においては、本発明の趣旨を逸脱しない範囲において種々の変更を加えることが可能である。
実施形態では、バーナーリング６により起伏部が構成されているが、バーナーリング６だけでなく、二段あるいはそれ以上の段数の起伏部が形成されている場合にも適用することができ、その形状に沿って保護シートを変形させ、開口部の周縁から孔がずれることなく所定の位置に固定することができる。
また、保護シートは、難燃性で熱収縮性を有するものであればよく、塩素化ポリエチレン以外の樹脂で設けられていてもよい。
また、アルミニウム製箔は必ずしもなくてもよいが、これを貼付することにより清浄なまま長期に使用できる。この場合、保護シートの片面だけでなく、両面にアルミニウム製箔を貼付してもよい。
さらに、起伏部のない平坦な天板であっても前述の場合と同様に保護シートを適用することができる。
実施形態においては、保護シートの外形は矩形に形成したが、円形や多角形等の形状で構成してもよい。
【符号の説明】
【００２５】
１…保護シート
２…ガスレンジ
３…天板
４…バーナー
５…穴
６…バーナーリング
７…開口部
１０…保護シート
２０…五徳
２１…五徳枠
２２…五徳爪
３０…孔
【図１】
2015175529.tif 000003
【図２】
2015175529.tif 000004
【図３】
2015175529.tif 000005
【図４】
2015175529.tif 000006
【図５】
2015175529.tif 000007